(57)【要約】【課題】表示意匠が開口部として形成された金属板を備える計器用表示板において、太陽光の直射がなく且つ表示意匠を透過照明する光源を消灯した場合に表示意匠が目立たないようにさせつつ、太陽光が計器用表示板を直射した場合に表示意匠を視認可能とさせる。【解決手段】計器用表示板２、７は、表示意匠２１、２２が開口部２１ａ、２２ａとして形成された金属板２５と、金属板２５の開口部２１ａ、２２ａに配設され且つ透光性と金属板２５の反射率と異なる反射率とを有する表示部材７，２６とを備える。表示部材７，２６は、暗色または金属板２５の色調と略同一の色調で視認されるように構成される。【選択図】  図２
2006300557.tif 000002
【特許請求の範囲】
【請求項１】
表示意匠が開口部として形成された金属板と、
前記金属板の
前記開口部に配設され、透光性と該金属板の反射率と異なる反射率とを有する表示部材とを備え、
前記表示部材は、暗色または前記金属板の色調と略同一の色調で視認されるように構成されることを特徴とする計器用表示板。
【請求項２】
前記表示部材は、前記金属板の裏面に貼着された無色透明の支持シートと、該支持シートの背後に配設された透光性部材とを備え、
前記透光性部材は、前記金属板の反射率より低い反射率を有し且つ該金属板の色調と類似する色調を有することを特徴とする請求項１に記載の計器用表示板。
【請求項３】
前記金属板は、アルミニウムから形成され且つ銀色の色調を有し、
前記透光性部材の前記色調は、白色であることを特徴とする請求項２に記載の計器用表示板。
【請求項４】
前記表示部材は、前記金属板の裏面に貼着された透光性を有する支持シートと、該支持シートの上面と裏面の一方に形成されると共に透光性を有し且つ前記金属板の反射率と異なる反射率を有する反射層と、該支持シートにおいて該反射層の背後側に形成されると共に透光性と光反射性とを有する半透光層とを備えることを特徴とする請求項１に記載の計器用表示板。
【請求項５】
前記金属板と前記半透光層は、アルミニウムから形成され、
前記半透光層は、前記開口部を通して、前記金属板の色調と略同一の色調で視認されるように構成されることを特徴とする請求項４に記載の計器用表示板。
【請求項６】
前記半透光層は、暗色の色調を有し、
前記半透光層は、前記開口部を通して、暗色で視認されるように構成されることを特徴とする請求項４に記載の計器用表示板。
【請求項７】
前記反射層は、前記金属板の前記反射率より低い反射率を有し、前記支持シートの前記上面と前記裏面の一方にシボ加工を施すことによって形成されることを特徴とする請求項４ないし請求項６のいずれか一項に記載の計器用表示板。
【請求項８】
前記支持シートは、無色透明性を有することを特徴とする請求項４ないし請求項７のいずれか一項に記載の計器用表示板。
【請求項９】
前記表示部材は、前記金属板の裏面に貼着された透光性と暗色の色調とを有する支持シートと、
該支持シートの上面に形成されると共に透光性を有し且つ前記金属板の反射率と異なる反射率を有する反射層とを備えることを特徴とする請求項１に記載の計器用表示板。
【請求項１０】
前記反射層は、前記金属板の前記反射率より低い反射率を有し、前記支持シートの前記上面にシボ加工を施すことによって形成されることを特徴とする請求項９に記載の計器用表示板。
【請求項１１】
前記支持シートを前記金属板の前記裏面に貼着した後に、前記表示意匠をエッチングにより前記開口部として形成することを特徴とする請求項２ないし請求項１０のいずれか一項に記載の計器用表示板。
【請求項１２】
請求項１ないし請求項１１のいずれか一項に記載の計器用表示板と、
前記計器用表示板の背後に配設され、表示部材を通して前記開口部から光を放射する光源とを備えることを特徴とする計器。
【請求項１３】
前記金属板の前記表示意匠側に配置された指針と、
前記指針を駆動する内機とを備えることを特徴とする請求項１２に記載の計器。
【発明の詳細な説明】
【技術分野】
【０００１】
本発明は、金属板から形成された計器用表示板とそれを備える計器に関するものである。
【背景技術】
【０００２】
近年、金属の質感を強調した見映えの向上等を目的として、アルミニウム薄板を材料とし、これに、所望の文字、模様、図案、絵柄等の表示意匠を形成した車両用の計器用表示板がある。
【０００３】
例えば、アルミニウム薄板の裏面に支持シートを貼着し、アルミニウム薄板をエッチングすることにより、表示意匠を支持シートの上面に達する開口部として形成する計器用表示板が開示されている（特許文献１を参照）。
【０００４】
具体的には、アルミニウム薄板の裏面に透明の支持シートを貼着し、その上面に、マスキングインキにより表示意匠の形状を露出面部として印刷する。エッチング処理により、このマスキングを施されてない露出面部を、裏面に貼着されている支持シートの上面に達するまで開口する。表示意匠を、この開口部として形成するものである。
【０００５】
一般に、この計器用表示板は、その背後に配設された光源により透過照明される自発光タイプの計器として用いられる。イグニッションスイッチがオフされている時、光源が消灯され、表示意匠は、暗色で表示される。このため、表示意匠は目立たたず、計器用表示板の金属の質感（見映え）は、損なわれない。
【０００６】
一方、イグニッションスイッチがオンされると、光源が点灯され、この点灯された光源の光は、表示意匠としての開口部を通して透明の支持シートを透過して、これを発光させて、表示意匠を視認させることができる。
【特許文献１】特開２０００−１９９０８２号公報
【発明の開示】
【発明が解決しようとする課題】
【０００７】
しかし、太陽光が計器用表示板を直射すると、アルミニウム薄板と開口部を通した表示意匠としての支持シートは、共に、この太陽光を高効率に反射する。この反射光の強度は、支持シートを透過した光源の発する光の強度より格段に高くなる。このため、アルミニウム薄板と開口部を通した表示意匠としての支持シートからの太陽光の反射光は、互いに区別がつきにくく、表示意匠を視認し難いという問題が生じる恐れがある。
【０００８】
一方、イグニッションスイッチをオフすると、光源が消灯されるが、この際、表示意匠を目立たないようにしたいという要請がある。これは、表示意匠を見る必要がない場合において、表示意匠を目立つことがないようにすることにより、計器用表示板の金属の質感（見映え）が損なわれないようにしたいという要請があるからである。この要請は、特に太陽光が計器用表示板を直射しない一般的な場合に、高い。
【０００９】
しかしながら、太陽光の直射がなく且つ表示意匠を透過照明する光源を消灯した場合に表示意匠が目立たないようにさせることと、太陽光が計器用表示板を直射した場合に表示意匠が視認可能であるようにさせることとは、互いに相反することであり、このため、これが問題となる。
【００１０】
このことは、車両用計器に限らず、アルミニウム薄板を含む金属板から形成された計器用表示板に共通する問題である。
【００１１】
本発明は、上記問題点に鑑みてなされたものであり、表示意匠が開口部として形成された金属板を備える計器用表示板とそれを備える計器において、太陽光の直射がなく且つ表示意匠を透過照明する光源を消灯した場合に表示意匠が目立たないようにさせつつ、太陽光が計器用表示板を直射した場合に表示意匠を視認可能とさせることを目的とする。
【課題を解決するための手段】
【００１２】
本発明は上記目的を達成するため、以下の技術的手段を採用する。
【００１３】
請求項１に記載の計器用表示板は、表示意匠が開口部として形成された金属板と、金属板の開口部に配設され且つ透光性と金属板の反射率と異なる反射率とを有する表示部材とを備え、表示部材が、暗色または金属板の色調と略同一の色調で視認されるように構成される構成とする。
【００１４】
この構成では、金属板の反射率と異なる反射率を有する表示部材を、金属板の開口部に配設する。これにより、太陽光が計器用表示板を直射した場合に、太陽光の表示部材による反射強度が、太陽光の金属板による反射強度と異なることとなるため、表示意匠を金属板を背景として視認させることができる。
【００１５】
また、この構成では、表示部材が、暗色または金属板の色調と略同一の色調で視認されるように構成される。これにより、太陽光の直射がなく且つ表示意匠を透過照明する光源を消灯した場合に、表示意匠を目立たなくできる。
【００１６】
請求項２に記載の計器用表示板は、表示部材が、金属板の裏面に貼着された無色透明の支持シートと、支持シートの背後に配設された透光性部材とを備え、透光性部材が、金属板の反射率より低い反射率を有し且つ金属板の色調と類似する色調を有する構成とする。
【００１７】
この構成では、表示部材が、無色透明の支持シートとその背後に配設した透光性部材とを備え、透光性部材が、金属板の反射率より低い反射率を有し且つ金属板の色調と類似する色調を有する。これにより、太陽光が計器用表示板を直射した場合に、太陽光の透光性部材による反射強度が、太陽光の金属板による反射強度より低く、且つ、透光性部材の色調が金属板の色調と類似するが異なるため、表示意匠を金属板を背景としてよりクリアに視認させることができる。
【００１８】
一方、太陽光の直射がなく且つ表示意匠を透過照明する光源を消灯した場合には、透光性部材が支持シートの背後に配設されるため、自然光による透光性部材の反射光が低くなり、且つ、透光性部材が金属板の色調と類似する色調を有するため、表示意匠を金属板を背景としてほとんど目立たなくできる。
【００１９】
請求項３に記載の計器用表示板は、金属板が、アルミニウムから形成され且つ銀色の色調を有し、透光性部材の色調が、白色である構成とする。
【００２０】
この構成では、透光性部材が、開口部を通して視認される透光性部材の色調が、金属板の色調と類似する白色である。この構成においても、上述の効果を得ることができる。
【００２１】
請求項４に記載の計器用表示板は、表示部材が、金属板の裏面に貼着された透光性を有する支持シートと、支持シートの上面と裏面の一方に形成されると共に透光性を有し且つ金属板の反射率と異なる反射率を有する反射層と、支持シートにおいて反射層の背後側に形成されると共に透光性と光反射性とを有する半透光層とを備える構成とする。
【００２２】
この構成では、表示部材が、支持シートと、これにおいて、反射層とこの背後側に半透光層とを備えるため、上述の効果を、簡易な構成で得ることができる。
【００２３】
請求項５に記載の計器用表示板は、金属板と半透光層が、アルミニウムから形成され、半透光層が、開口部を通して、金属板の色調と略同一の色調で視認されるように構成される構成とする。
【００２４】
この構成では、半透光層が、開口部を通して、金属板の色調と略同一の色調で視認されるように構成される。これにより、太陽光の直射がなく且つ表示意匠を透過照明する光源を消灯した場合に、表示意匠を目立たなくできる。
【００２５】
請求項６に記載の計器用表示板は、半透光層が、暗色の色調を有し、半透光層が、開口部を通して、暗色で視認されるように構成される構成とする。
【００２６】
この構成では、半透光層が、開口部を通して、暗色で視認されるように構成される。これにより、太陽光の直射がなく且つ表示意匠を透過照明する光源を消灯した場合に、表示意匠を目立たなくできる。
【００２７】
請求項７に記載の計器用表示板は、反射層が、金属板の反射率より低い反射率を有し、支持シートの上面と裏面の一方にシボ加工を施すことによって形成される構成とする。
【００２８】
この構成では、反射層をシボ加工により形成するため、上述の効果を、より簡易に得ることができる。
【００２９】
請求項８に記載の計器用表示板は、支持シートが無色透明性を有する構成とする。
【００３０】
この構成では、支持シートが無色透明性を有するため、上述の効果を、より簡易な構成で得ることができる。
【００３１】
請求項９に記載の計器用表示板は、表示部材が、金属板の裏面に貼着された透光性と暗色の色調とを有する支持シートと、支持シートの上面に形成されると共に透光性を有し且つ金属板の反射率と異なる反射率を有する反射層とを備える構成とする。
【００３２】
この構成では、表示部材が、暗色の支持シートとこの上面に形成された反射層とを備えるものであるため、上述の効果を、より簡易な構成で得ることができる。
【００３３】
請求項１０に記載の計器用表示板は、反射層が、金属板の反射率より低い反射率を有し、支持シートの前記上面にシボ加工を施すことによって形成される構成とする。
【００３４】
この構成では、反射層をシボ加工により形成するため、上述の効果を、より簡易に得ることができる。
【００３５】
請求項１１に記載の計器用表示板は、支持シートを金属板の裏面に貼着した後に、表示意匠をエッチングにより開口部として形成する構成とする。
【００３６】
この構成では、支持シートを金属板の裏面に貼着する貼着した後に、表示意匠をエッチングにより開口部として形成する。これにより、表示意匠の一部が金属板から分離した形状であっても、この一部は、支持シートにより計器用表示板に固定される。この結果、複雑な形状を有する表示意匠を実現することができ、この場合においても上述の効果を得ることができる。
【００３７】
請求項１２に記載の計器は、請求項１ないし請求項１１のいずれか一項に記載の計器用表示板と、この背後に配設され且つ表示部材を通して前記開口部から光を放射する光源とを備える構成とする。
【００３８】
この構成では、計器が、上述の計器用表示板とこれを透過照明する光源とを備え、この構成においても上述の効果を得ることができる。
【００３９】
請求項１３に記載の計器は、金属板の表示意匠側に配置された指針と、指針を駆動する内機とを備える構成とする。
【００４０】
この構成においても上述の効果を得ることができる。
【発明を実施するための最良の形態】
【００４１】
以下、本発明による計器用表示板を、自動車に搭載されるコンビネーションメータ１に適用した場合を例に図面に基づいて説明する。
【００４２】
（第１実施形態）
図１は、本発明の第１実施形態による計器用表示板を備える計器であるコンビネーションメータ１の正面図である。図１の矢印が示す上下方向が自動車の上下方向と同じである。
【００４３】
図２は、図１中のＩＩ−ＩＩ線断面図である。
【００４４】
図３は、図１に示す文字盤２の正面図である。
【００４５】
図４は、図３中のＩＶ−ＩＶ線拡大断面図である。
【００４６】
図５は、図３に示す文字盤２の製造工程図である。
【００４７】
図６は、図１に示すコンビネーションメータ１の電気回路構成を説明する回路構成図である。
【００４８】
コンビネーションメータ１は、自動車の運転席前方に配置されて当該自動車に関する各種車両情報を表示する。本実施形態によるコンビネーションメータ１は、図１に示すように、自動車の走行速度を指示する速度計を形成する。
【００４９】
速度計は、表示意匠である文字（数字を含む）２１と目盛２２とを有する計器用表示板の一部を構成する文字盤２と指針３等から構成され、指針３が文字盤２の上面（図２中の矢印が示す上側の面）に沿って回動することによって、当該自動車の走行速度を表示して運転者に視認させるものである。
【００５０】
文字盤２の背後（図２の矢印が示す下側）には、内機であるムーブメント４、光源である発光ダイオード５、リフレクタ６、透光性部材である拡散板７、およびプリント基板８が配置される。プリント基板８は、コンビネーションメータ１の電気回路部を構成するものであり、ムーブメント４と発光ダイオード５は、プリント基板８に実装される。
【００５１】
ムーブメント４は、例えば交差コイル式アクチュエータ、あるいはステッピングモータ等から構成され、外部からの電気信号（本実施形態においては車速に関する信号）に対応した角度だけシャフト４１を回動させるものである。シャフト４１は、文字盤２の貫通孔３１を通して上面側、つまり図２の矢印が示す上側へ延出し、その先端に指針３が固定される。
【００５２】
発光ダイオード５は、文字盤２の文字２１と目盛２２とを透過照明するものであり、例えば白色光を発するものである。リフレクタ６は、発光ダイオード５からの白色光を拡散板７へ導くものである。
【００５３】
計器用表示板は、本発明の特徴である文字盤２と拡散板７から構成される。
【００５４】
拡散板７は、白色で透光性を有する樹脂板材（ポリカーボネイト樹脂等）から形成され、リフレクタ６に導かれた発光ダイオード５からの白色光を、文字盤２の文字２１と目盛２２へ均一に導くものである。
【００５５】
文字盤２は、図３と図４に示すように、金属板であるアルミニウム板２５と、支持シートであり無色透明の樹脂フィルム２６と、樹脂フィルム２６をアルミニウム板２５に固定させ且つ透光性を有する接着層２７とから形成される。樹脂フィルム２６は、ポリエチレンテレフタレート（ＰＥＴ）等から形成される。ここで、本発明による表示部材は、拡散板７と樹脂フィルム２６とから構成される。
【００５６】
文字２１と目盛２２とは、アルミニウム板２５に形成され且つそれぞれの形状を有する開口部であるエッチング穴２１ａ、２２ａとその背後にある接着層２７と樹脂フィルム２６とから構成される。ここで、文字２１では、図４に示すように、エッチング穴２１ａによりアルミニウム板２５から分離した分離部２１ｂが形成される。しかし、分離部２１ｂは、接着層２７により、樹脂フィルム２６に固定されるため、文字盤２から分離することはない。
【００５７】
アルミニウム板２５と接着層２７と樹脂フィルム２６の各厚さ寸法Ｔ１，Ｔ２，Ｔ３は、例えば、それぞれ、０．２５ｍｍ、０．０５ｍｍ、０．０７５ｍｍである。
【００５８】
尚、図２において、拡散板７は、その厚さ寸法Ｔ４が、例えば、１．５ｍｍであり、樹脂フィルム２６との隙間寸法Ｇが、例えば、１．０ｍｍとなるように、リフレクタ６により支持される。
【００５９】
発光ダイオード５からの白色光は、拡散板７を介して樹脂フィルム２６と接着層２７（図２では省略されている）とを透過し、この透過光が、文字２１と目盛２２として、エッチング穴２１ａ、２２ａから視認される。
【００６０】
次に、文字盤２の製造工程について、図５に基づいて説明する。
【００６１】
工程Ｓ１で、厚さ寸法Ｔ１が０．２５ｍｍのアルミニウム板材を、文字盤２の９枚分である４００×４００ｍｍのサイズに切断する。次に、厚さ寸法Ｔ３が０．０７５ｍｍのポリエチレンテレフタレート（ＰＥＴ）シートの片面の全面上に、感圧接着剤が予め塗着された樹脂シート材を用意する。
【００６２】
工程Ｓ２で、この樹脂シート材を、工程Ｓ１で切断されたアルミニウム板材の片面の全面上に、熱圧着により貼付し、文字盤母材を形成する。文字盤母材において、アルミニウム板材がアルミニウム板２５に対応し、ＰＥＴシートが樹脂フィルム２６に対応し、感圧接着剤が接着層２７に対応する。
【００６３】
工程Ｓ３で、文字盤母材のアルミニウム板材の上面に、図３に示すヘアライン２４を、文字盤２の９枚分、回転砥石により形成する。ヘアライン２４は、貫通孔３１と略同心円状に形成され、文字盤２に高級感やスポーティ感等を与える装飾模様である。
【００６４】
工程Ｓ４で、ヘアライン加工が施された文字盤母材を、例えば、所定温度で所定濃度の硫酸の電解液中で文字盤母材のアルミニウム板材を陽極として、所定条件の直流電流を通電する。これにより、アルミニウム板材の全上面に厚さ１０ミクロン程度の酸化膜を形成する（陽極酸化する）、即ち、アルマイト処理を施す。
【００６５】
工程Ｓ５で、所定のマスキングインキを、文字盤母材のアルミニウム板材の酸化膜上に、スクリーン印刷等により形成する。マスキングは、図３において、文字２１と目盛２２の各形状を抜いた（露出させる）形状で行う。
【００６６】
マスキングインキが形成された文字盤母材を、エッチング液でエッチング処理する。エッチング液は、例えば、所定温度に過熱した所定濃度の苛性ソーダ水溶液を主材としたものや、所定の状態に調整した常温の塩化鉄水溶液等であり、これを用いて、浸漬等の手段により、文字盤母材のアルミニウム板材をエッチングする。
【００６７】
このエッチング処理完了後、マスキングインキを、これ溶解する溶剤で浸漬等により除去する。これにより、図４に示すように、アルミニウム板材（アルミニウム板２５）を、その裏面の接着層２７に達するまで開口させ、エッチング穴２１ａ（２２ａも同様）を形成する。
【００６８】
工程Ｓ６で、４００×４００ｍｍサイズの文字盤母材２０を、９枚の文字盤母材２０に分割すると共に、貫通孔３１を打ち抜く。
【００６９】
工程Ｓ７で、図３に示すＶ溝を形成して文字盤２を完成させる（工程Ｓ８）。
【００７０】
尚、白色で透光性を有する拡散板７は、アルミニウム板２５や樹脂フィルム２６の各反射率より低い反射率を有する。
【００７１】
以上説明した本実施形態によるコンビネーションメータ１の電気回路構成について、図６に基づいて説明する。
【００７２】
マイクロコンピュータ等から構成される制御装置９には、バッテリ１１から電力が常時供給され、イグニッションスイッチ１０がその操作ポジション（オフポジション、オンポジション）を検出可能に接続され、当該自動車の車速を検出する車速センサ１２や図示しないセンサやスイッチ等がそれらの信号を入力可能に接続される。
【００７３】
また、車速センサ１２からの検出信号に応じて制御装置９によって駆動されるムーブメント４や、発光ダイオード５も、制御装置９に接続される。
【００７４】
以上説明した本発明の第１実施形態による計器用表示板の作動について説明する。
【００７５】
図７は、図２に示す文字盤２と透光性部材である拡散板７の作用効果を説明する断面模式図である。
【００７６】
イグニッションスイッチ１０がオンされると、図６において、制御装置９は、それを検出して作動を開始し、車速センサ１２からの出力信号に基づき、ムーブメント４を駆動する。又、この時、発光ダイオード５を点灯させる。
【００７７】
点灯した発光ダイオード５からの白色光は、図７中の矢印Ｑが示す光路に従って、リフレクタ６により白色で透光性を有する拡散板７に導かれ、これを透過した白色光が、無色透明の樹脂フィルム２６を透過する。これにより、文字盤２の文字２１と目盛２２は、図７中の矢印Ｐ１が示す光路の自然光による銀色のアルミニウム板２５を背景として、エッチング穴２１ａ、２２ａを通して白色の発光表示として視認される。
【００７８】
尚、自然光が少ない（暗い）場合、文字盤２の文字２１と目盛２２は、暗色（暗い状態）のアルミニウム板２５を背景として、エッチング穴２１ａ、２２ａから白色の発光表示として視認される。
【００７９】
また、太陽光が文字盤２を直射する場合、図７において、太陽光の強度が発光ダイオード５からの白色光の強度より格段に高いため、矢印Ｐ１、Ｐ２、Ｐ３が示す光路の太陽光の強度は、矢印Ｑが示す光路の発光ダイオード５からの透過光の強度より格段に高くなる。この結果、文字盤２の文字２１と目盛２２を視認できるかどうかは、矢印Ｐ１、Ｐ２、Ｐ３が示す光路の太陽光により決定される。
【００８０】
ここで、太陽からの矢印Ｐ１、Ｐ２が示す光路の光は、それぞれ、太陽がアルミニウム板２５と樹脂フィルム２６に写るように光って見える。しかし、白色で透光性を有する拡散板７の反射率は、アルミニウム板２５や樹脂フィルム２６の各反射率より低い。このため、拡散板７の表面で反射した矢印Ｐ３が示す光路の光は、矢印Ｐ１、Ｐ２が示す光路の太陽光の強度より低く、且つ、白色の拡散板７として、無色透明の樹脂フィルム２６を通して視認される。
【００８１】
即ち、文字２１と目盛２２における矢印Ｐ２、Ｐ３が示す光路の光は、その強度がアルミニウム板２５で反射した矢印Ｐ１が示す光路の光の強度よりも低く、且つ、拡散板７による白色を帯びることとなる。これにより、文字盤２の文字２１と目盛２２は、矢印Ｐ１で示す光路の太陽光による非常に明るい銀色のアルミニウム板２５を背景として、これより強度が低く且つ銀色と類似するがこれと異なる白色として、矢印Ｐ２、Ｐ３が示す光路に従ってエッチング穴２１ａ、２２ａを通して視認される。
【００８２】
一方、イグニッションスイッチ１０がオフされると、制御装置９は、その作動を停止して、発光ダイオード５を消灯させる。
【００８３】
上述したように、白色で透光性を有する拡散板７の反射率が低いため、図７中の矢印Ｐ３が示す光路の自然光の反射強度は、さらに低くなる。それに加えて、拡散板７の白色は、銀色と類似するため、ほとんど視認できなくなる（暗色で視認される）。これにより、文字盤２は、図７中の矢印Ｐ１が示す光路の自然光による銀色のアルミニウム板２５のみ視認され、その金属の質感（見映え）が損なわれることがない。
【００８４】
尚、自然光が少ない（暗い）場合、文字盤２は、文字２１と目盛２２を含めて、暗色（暗い状態）として視認されるので、その金属の質感（見映え）が損なわれることがない。
【００８５】
以上説明した本発明の第１実施形態による計器用表示板は、表示意匠である文字２１と目盛２２がエッチングにより開口部であるエッチング穴２１ａ、２２ａとして形成された金属板であるアルミニウム板２５と、その裏面に貼着された無色透明の支持シートである樹脂フィルム２６と、その背後にアルミニウム板２５の反射率とより低い反射率を有する透光性部材である拡散板７とを備え、拡散板７がアルミニウム板２５の色調と類似する色調である白色を有する。
【００８６】
これにより、太陽光が計器用表示板を直射した場合には、拡散板７がアルミニウム板２５の反射率より低い反射率を有し且つアルミニウム板２５の色調と類似するが異なる白色を有するため、文字２１と目盛２２における太陽光の反射強度がその背景であるアルミニウム板２５による太陽光の反射強度より低く且つアルミニウム板２５と異なる色調の薄い白色で視認される。このため、文字２１と目盛２２がアルミニウム板２５に対してより区別し易くなる（視認可能となる）。
【００８７】
一方、太陽光の直射がなく文字２１と目盛２２を透過照明する光源である発光ダイオード５を消灯した場合には、拡散板７が樹脂フィルム２６の背後に配設され且つアルミニウム板２５の色調と類似する白色を有するため、文字２１と目盛２２がアルミニウム板２５に対してほとんど目立たなくなる。
【００８８】
即ち、表示意匠が開口部として形成された金属板を備える計器用表示板において、太陽光の直射がなく且つ表示意匠を透過照明する光源を消灯した場合に表示意匠が目立たないようにさせつつ、太陽光が計器用表示板を直射した場合に表示意匠を視認させることができる。
【００８９】
尚、発光ダイオード５が消灯されている場合に、太陽光の直射の有無に係わらず、文字盤２の文字２１と目盛２２を目立たなくするためには、以下の検討が必要となる。上述したように、太陽光が文字盤２を直射する場合は、文字盤２の文字２１と目盛２２を視認できるかどうかは、矢印Ｐ１、Ｐ２、Ｐ３が示す光路の太陽光の各強度により決定される。このため、太陽光が文字盤２を直射する場合、発光ダイオード５が消灯されている場合に文字２１と目盛２２を目立たなくし、発光ダイオード５が点灯されている場合に文字２１と目盛２２を視認し易くする必要がある。
【００９０】
これらの要求は、完全に相反する要求であり、これらの中間点を狙う必要がある。具体的には、拡散板７の反射率と白色の濃度（透過率）と隙間寸法Ｇを最適化設計等することによりこの要求を満足させることができる。
【００９１】
（第２実施形態）
図８は、本発明の第２実施形態による計器用表示板である文字盤２を備える計器であるコンビネーションメータ１の正面図である。
【００９２】
図９は、図８中のＩＸ−ＩＸ線断面図である。
【００９３】
図１０は、図９に示す文字盤２の作用効果を説明する断面模式図である。
【００９４】
本発明の第２実施形態による表示装置であるコンビネーションメータ１では、図８と図９と図１０に示すように、第１実施形態と異なり、拡散板７の代わりに、反射層であるシボ面２６ａと半透光層であるハーフミラー層２６ｂとを樹脂フィルム２６に設ける。
【００９５】
シボ面２６ａは、微細な凹凸のピッチが密であるように、樹脂フィルム２６の裏面（図９と図１０の矢印が示す下側の面）に形成される。シボ面２６ａは、ＰＥＴシートを成型するときに同時に形成したり、成型後のＰＥＴシートにサンドブラストを施す等して形成することができる。シボ面２６ａは、これに入射した光を透過させる性質と、アルミニウム板２５の反射率より低い反射率とを有する。
【００９６】
尚、シボ面２６ａは、樹脂フィルム２６の上面（図９と図１０の矢印が示す上側の面）に形成してもよい。
【００９７】
ハーフミラー層２６ｂは、いわゆるハーフミラー特性を有するものであり、光を透過する性質と光を反射する性質の両方の性質を有する。ハーフミラー層２６ｂは、例えば、透光性樹脂に所定の粒径や形状を有する所定量のアルミニウム粉末を混入させた材料を印刷により、または、アルミニウムをスパッタ蒸着や真空加熱蒸着やメッキ等により、シボ面２６ａの背後側（図９と図１０の矢印が示す下側）である樹脂フィルム２６の裏面（図９と図１０の矢印が示す下側の面）に形成する。
【００９８】
以上説明した本発明の第２実施形態による計器用表示板の作動について説明する。
【００９９】
点灯した発光ダイオード５からの白色光は、図１０中の矢印Ｑが示す光路に従って、リフレクタ６によりハーフミラー層２６ｂとシボ面２６ａとに導かれ、これらを透過した白色光が、無色透明の樹脂フィルム２６を透過する。これにより、文字盤２の文字２１と目盛２２は、図１０中の矢印Ｐ１が示す光路の自然光による銀色のアルミニウム板２５を背景として、エッチング穴２１ａ、２２ａを通して白色の発光表示として視認される。
【０１００】
尚、自然光が少ない（暗い）場合、文字盤２の文字２１と目盛２２は、暗色（暗い状態）のアルミニウム板２５を背景として、エッチング穴２１ａ、２２ａから白色の発光表示として視認される。
【０１０１】
また、太陽光が文字盤２を直射する場合、図１０において、太陽光の強度が発光ダイオード５からの白色光の強度より格段に高いため、矢印Ｐ１、Ｐ２、Ｐ３が示す光路の太陽光の強度は、矢印Ｑが示す光路の発光ダイオード５からの透過光の強度より格段に高くなる。この結果、文字盤２の文字２１と目盛２２を視認できるかどうかは、矢印Ｐ１、Ｐ２、Ｐ３で示す光路の太陽光により決定される。
【０１０２】
ここで、矢印Ｐ１、Ｐ２が示す光路の太陽光は、それぞれ、太陽がアルミニウム板２５と樹脂フィルム２６に写るように光って見える。ハーフミラー層２６ｂは、銀色であるが、シボ面２６ａの反射率が、アルミニウム板２５や樹脂フィルム２６の各反射率より低い。このため、矢印Ｐ３が示す光路の光は、ハーフミラー層２６ｂの銀色として、無色透明の樹脂フィルム２６を通して、矢印Ｐ１、Ｐ２が示す光路の太陽光の強度より低く視認される。
【０１０３】
即ち、文字２１と目盛２２における矢印Ｐ２、Ｐ３が示す光路の光は、その強度がアルミニウム板２５で反射した矢印Ｐ１が示す光路の光の強度よりも低くなる。これにより、文字盤２の文字２１と目盛２２は、矢印Ｐ１で示す光路の太陽光による非常に明るい銀色のアルミニウム板２５を背景として、これと同じの銀色であるがこれより強度が低い銀色として、矢印Ｐ２、Ｐ３が示す光路に従ってエッチング穴２１ａ、２２ａを通して視認される。
【０１０４】
一方、イグニッションスイッチ１０がオフされると、制御装置９は、その作動を停止して、発光ダイオード５を消灯させる。
【０１０５】
上述したように、シボ面２６ａの反射率がアルミニウム板２５や樹脂フィルム２６の各反射率より低く、ハーフミラー層２６ｂがアルミニウム板２５と同じ銀色である。このため、図１０中の矢印Ｐ３が示す光路の自然光は、その反射強度がさらに低くなり、アルミニウム板２５と同じ銀色は、視認できなくなる。
【０１０６】
また、アルミニウム板２５にはヘアライン２４が形成されているが、ハーフミラー層２６ｂもシボ面２６ａを通して視認されるため、これらの間の質感の相違も目立たないものとなる。これらの間の質感の相違は、シボ面２６ａをヘアライン調に形成することにより、なくすこともできる。
【０１０７】
これにより、文字盤２は、図１０中の矢印Ｐ１が示す光路の自然光による銀色のアルミニウム板２５と、視認されたとしても矢印Ｐ２、Ｐ３が示す光路の自然光による同じ銀色の文字２１と目盛２２が、互いに区別できないで視認され（目立たなく）、その金属の質感（見映え）が損なわれることがない。
【０１０８】
尚、自然光が少ない（暗い）場合、文字盤２は、文字２１と目盛２２を含めて、暗色（暗い状態）として視認されるので、その金属の質感（見映え）が損なわれることがない。
【０１０９】
以上説明した本発明の第２実施形態による文字盤２である計器用表示板は、表示意匠である文字２１と目盛２２がエッチングにより開口部であるエッチング穴２１ａ、２２ａとして形成された金属板であるアルミニウム板２５と、その裏面に貼着された透光性を有する支持シートである樹脂フィルム２６と、その上面と裏面の一方に形成された透光性を有し且つアルミニウム板２５の反射率と異なる反射率を有する反射層であるシボ面２６ａと、樹脂フィルム２６においてシボ面２６ａの背後側に形成された透光性と光反射性とを有する半透光層であるハーフミラー層２６ｂとを備え、ハーフミラー層２６ｂが、エッチング穴２１ａ、２２ａを通して、アルミニウム板２５の色調と略同一の色調で視認されるように構成される。
【０１１０】
これにより、太陽光が文字盤２を直射した場合には、シボ面２６ａがアルミニウム板２５の反射率と異なる（低い）反射率を有するため、文字２１と目盛２２における太陽光の反射強度とその背景であるアルミニウム板２５による太陽光の反射強度とが異なるものとなる。このため、文字２１と目盛２２がアルミニウム板２５に対して視認可能となる。
【０１１１】
一方、太陽光の直射がなく文字２１と目盛２２を透過照明する光源である発光ダイオード５を消灯した場合には、ハーフミラー層２６ｂが、エッチング穴２１ａ、２２ａを通して、アルミニウム板２５の色調と略同一の色調で視認されるように構成されるため、文字２１と目盛２２が目立たなくなくなる。
【０１１２】
即ち、表示意匠が開口部として形成された金属板を備える計器用表示板において、太陽光の直射がなく且つ表示意匠を透過照明する光源を消灯した場合に表示意匠が目立たないようにさせつつ、太陽光が計器用表示板を直射した場合に表示意匠を視認させることができる。
【０１１３】
尚、ハーフミラー層２６ｂの代わりに、濃い青色や紺色等の暗色の色調（明度、色相、彩度））と透光性とを有する透光層を形成することができる。この場合、太陽光の直射がなく発光ダイオード５を消灯した場合には、この透光層が、エッチング穴２１ａ、２２ａを通して、暗色で視認されるため、文字２１と目盛２２が目立たなくできる。
【０１１４】
また、樹脂フィルム２６は、無色透明である必要はなく、これを暗色で透光性とを有するものとすることができる。この場合は、シボ面２６ａを、樹脂フィルム２６の上面に形成する。この構成では、樹脂フィルム２６が、暗色で透光性とを有する透光層の機能を果たすことになり、上述の効果を得ることができる。
【０１１５】
尚、アルミニウム板２５の代わりにステンレス板等としても良く、樹脂フィルム２６は、ポリエチレンテレフタレート（ＰＥＴ）の代わりに他の透光性を有する樹脂材から形成しても良い。
【０１１６】
また、計器として速度計を形成しているが、これらに限る必要は無く、他の計器、例えばと回転計や燃料計等と置き換える、あるいは追加しても良い。
【０１１７】
また、計器として、指針計器に限るものではない。
【０１１８】
本発明による計器用表示板は、表示意匠が開口部として形成された金属板と、金属板の開口部に配設され且つ透光性と金属板の反射率と異なる反射率とを有する表示部材とを備え、表示部材が、暗色または金属板の色調と略同一の色調で視認されるように構成されることを特徴とする。この特徴を満たす限り、上述の例に限らず、他の種々の変形例が考えられる。
【図面の簡単な説明】
【０１１９】
【図１】図１は、本発明の第１実施形態による計器用表示板を備える計器であるコンビネーションメータ１の正面図である。
【図２】図２は、図１中のＩＩ−ＩＩ線断面図である。
【図３】図３は、図１に示す文字盤２の正面図である。
【図４】図４は、図３中のＩＶ−ＩＶ線拡大断面図である。
【図５】図５は、図３に示す文字盤２の製造工程図である。
【図６】図６は、図１に示すコンビネーションメータ１の電気回路構成を説明する回路構成図である。
【図７】図７は、図２に示す文字盤２と透光性部材である拡散板７の作用効果を説明する断面模式図である。
【図８】図８は、本発明の第２実施形態による計器用表示板である文字盤２を備える計器であるコンビネーションメータ１の正面図である。
【図９】図９は、図８中のＩＸ−ＩＸ線断面図である。
【図１０】図１０は、図９に示す文字盤２の作用効果を説明する断面模式図である。
【符号の説明】
【０１２０】
１  コンビネーションメータ（計器）
２  文字盤（計器用表示板）
２１  文字（表示意匠）
２１ａ、２２ａ  エッチング穴（開口部）、  ２１ｂ  分離部、
２２  目盛（表示意匠）、  ２３  Ｖ溝、  ２４  ヘアライン
２５  アルミニウム板（金属板）
２６  樹脂フィルム（支持シート、表示部材）、  ２６ａ  シボ面（反射層、表示部材）
２６ｂ  ハーフミラー層（半透光層、表示部材）、  ２７  接着層
３  指針、  ３１  貫通孔、  ４  ムーブメント（内機）、  ４１  シャフト
５  発光ダイオード（光源）、  ６  リフレクタ
７  拡散板（透光性部材、表示部材、計器用表示板）
８  プリント基板、  ９  制御装置、  １０  イグニッションスイッチ
１１    バッテリ、  １２  車速センサ
Ｔ１、Ｔ２、Ｔ３、Ｔ４  厚さ寸法、  Ｇ  隙間寸法
【図１】
2006300557.tif 000003
【図２】
2006300557.tif 000004
【図３】
2006300557.tif 000005
【図４】
2006300557.tif 000006
【図５】
2006300557.tif 000007
【図６】
2006300557.tif 000008
【図７】
2006300557.tif 000009
【図８】
2006300557.tif 000010
【図９】
2006300557.tif 000011
【図１０】
2006300557.tif 000012